(57)【要約】      （修正有）【課題】  ペット介護終身養老システムを通信回線を介して有機的に接続して、飼主、里親及びペット介護終身養老システムの運営元のそれぞれの要求を実現する。【解決手段】  複数のペット飼主端末(1-1〜1-n）、複数のペット里親端末(3-1〜3-n）及びペット介護終身養老システムのホストコンピュータ(2)とを通信回線(4)を介して接続したペット介護終身養老システムにおいて、  前記ホストコンピュータには、複数のペット里親の介護条件を蓄積したデータベース(2-1)を備え、ペット飼主は、ペット飼主端末から、前記データベースにアクセスして自己のペットの介護条件に合った里親とペット介護終身養老システム上で契約を締結する手段と、前記ペット飼主端末及び前記ペット里親端末の間では、前記通信回線を介してペット飼主とペットと間で画像及び音声データの送受する通信手段とを備えるペット介護終身養老システム。【選択図】  図１
2005038175.tif 000002
【特許請求の範囲】
【請求項１】
複数のペット飼主端末、複数のペット里親端末及びペット介護終身養老システムのホストコンピュータとを通信回線を介して接続したペット介護終身養老システムにおいて、
前記ホストコンピュータには、複数のペット里親の介護条件を蓄積したデータベースを備え、
ペット飼主端末から、前記データベースにアクセスして自己のペットの介護条件に合った里親とペット介護終身養老システム上で契約を締結する手段と、
前記ペット飼主端末及び前記ペット里親端末の間では、前記通信回線を介してペット飼主とペットと間で画像及び音声データの送受する通信手段と、
を備えることを特徴とするペット介護終身養老システム。
【請求項２】
前記データベースには、ペット飼主のペット訪問に伴う宿泊に利用する宿泊施設に関するデータが蓄積されており、ペット飼主端末からのアクセスにより宿泊の予約ができることを特徴とする請求項１に記載のペット介護終身養老システム。
【請求項３】
前記データベースには、動物(ペット)病院、ペット火葬施設及びペット共同墓地等の提携施設に関するデータが蓄積されていることを特徴とする請求項１又は２に記載のペット介護終身養老システム。
【請求項４】
前記ペット里親には、所定の研修を受講し、ペット介護士の資格を有する者が少なくとも１名存在することを特徴とする請求項１〜３のいずれか１項に記載のペット介護終身養老システム。
【請求項５】
前記ホストコンピュータには、前記ペット里親端末を介してペットの介護状況を監視する介護状況監視手段を備えることを特徴とする請求項１〜４のいずれか１項に記載のペット介護終身養老システム。
【請求項６】
前記ホストコンピュータには、ペット飼主からの介護費用の徴収及び里親に対する介護費の支払いを処理する介護費用処理機能を備えていることを特徴とする
請求項１〜５のいずれか１項に記載のペット介護終身養老システム。
【請求項７】
前記ペット飼主端末及びペット里親端末は、インターネット対応のカメラ機能付きの携帯端末であることを特徴とする請求項１〜６のいずれか１項に記載のペット介護終身養老システム。
【発明の詳細な説明】
【技術分野】
【０００１】
本発明は、飼主の海外赴任や老齢化に伴い、介護不能となった愛犬や愛猫等のペットを、ペット好きの人に里親として紹介して、里親となった人にペットの介護を委託するシステムであって、飼主端末、里親端末及びペット介護終身養老システムホストコンピュータ（サーバ）を通信回線を介して有機的に接続して、飼主、里親及びペット介護終身養老システムのそれぞれの要求を満たすことを可能とするものに関する。
【背景技術】
【０００２】
愛犬や愛猫等のペットは、飼主が自宅で飼育するのが普通である。
しかし、飼主の海外赴任や飼主自身の老齢化のために、ペットを十分に飼育できない事情が発生することがある。
また、ペット自身の老齢化のために、通常の自宅では十分なケアができない場合もある。
このような場合には、ペットを別の人に譲り渡すか、ペット病院に預けるか、場合によっては、安楽死等の処置をせざるを得ないケースもある。
【０００３】
ペットの介護とは異なるが、人間の高齢者を対象とした介護に関するものとしては以下のものが知られている。（例えば、特許文献１参照）
【０００４】
【特許文献１】特開２００２−２１５８０１号公報（０００１）〜（０００８）
【０００５】
上記特許文献１には、以下の記載がなされている。
「高齢者を中心とした要介護者の介護状況を大別すると、次の通りとなる。
(1)福祉施設（介護老人福祉施設・介護老人保険施設・介護療養病院施設）への入所。
(2)病院（医療機関）への入院。
(3)家庭での介護。
以上の通りであるが、いずれにせよ施設か在宅で介護を受け、社会生活をしているのが現状である。
高齢化が急速に進む現代社会に於いて、現状の介護手法では問題点が多く、従来の手法では高齢化社会に対処する事が困難である。大別した介護状況の問題点は次の通りである。
(1)福祉施設に於ける介護現在の施設に入所していても、３ヵ月毎の要介護見直し認定で、安定期と判断されると退所を余儀なくされ、在宅介護に移行される為、安心して施設での終身介護を受ける事が出来ない。
入所希望者においても、各都道府県の老人保険福祉計画に於ける介護老人福祉施設、及び介護老人保険施設の整備目標と、各都道府県医療計画に於ける介護療養病院施設の整備が、現在進んでいる高齢化社会に比べ、非常に遅れている為、希望する施設に速やかに入所する事が出来ない。
(2)病院に於ける医療・介護政官健保も老人医療費の増加に依り莫大な赤字を抱え、存続すら危ぶまれている現状に於いて、老人医療費の削減の為に、病院でも高齢者の入院（社会的入院）日数の短縮を余儀なくされ、入院患者の長期入院が不可能となり、在宅介護に移行される為、終身的な安心した入院が出来ない。
(3)家庭に於ける在宅介護現在の介護状況では、核家族化に伴う老・老介護が大きな問題となっている。
介護者２人に１人は６５歳以上の高齢であり、介護者が共倒れする問題が重要視されている。要介護者を抱える家族にとって２４時間体制の介護は、病院・施設の様に設備や人的整備は皆無に等しく、介護に限界がある。
在宅介護をする家族にとって、精神的・肉体的ストレス・経済的問題等、深刻な問題が山積され、家族がそれらの負担を長期に渡って背負っていく事は困難である。
上述した様に、現在の高齢者介護状況は病院への入院、あるいは施設への入所であり、終身介護を受けながら生活したくても、病院では入院在日数の短縮、施設においては整備の遅れ等で不可能であり、在宅介護が主となる社会システムになっている。
在宅介護で病院及び施設と同等になる事は不可能で、在宅で自立した生活が出来る社会的・家庭環境が整備されていない。
したがって、在宅を終身介護の場とすれば、設備の充実と各種サ−ビスの総合的・定期的・効果的な提供が不可欠である。
家族に過大な負担をかける事なく、自立した終身介護生活を送る事が可能となる、総合的システムとその運用方法を提供する。
要介護者が、集団で自宅として居住出来るマンション等の、集合住居システムにおいて、施設内に在総診制度に対応する診療所（クリニック）を設置し、かつ介護保険に準拠する介護センタ−を設置し、併せてこれらを総合的に運営する為に、情報通信技術を活用した総合運営システムを装備する。」
【発明の開示】
【発明が解決しようとする課題】
【０００６】
上記の如く、対称を高齢者とする総合的な介護システムは近頃種々検討されるようになってきたが、愛犬や愛猫等のペットを対称とするペット介護終身養老システムは、まだ実現されていないのが現状である。
【０００７】
本発明の課題(目的)は、飼主の海外赴任や老齢化に伴い、介護不能となった愛犬や愛猫等のペットを、ペット好きの人を里親として紹介して、里親となった人にペットの介護を委託するシステムとして、飼主端末、里親端末及びペット介護終身養老システムホストコンピュータ（サーバ）を通信回線を介して有機的に接続して、飼主、里親及びペット介護終身養老システムのそれぞれの要求を実現することにある。
【課題を解決するための手段】
【０００８】
前記課題を解決するために、複数のペット飼主端末、複数のペット里親端末及びペット介護終身養老システムのホストコンピュータとを通信回線を介して接続したペット介護終身養老システムにおいて、
前記ホストコンピュータには、複数のペット里親の介護条件を蓄積したデータベースを備え、ペット飼主端末から、前記データベースにアクセスして自己のペットの介護条件に合った里親とペット介護終身養老システム上で契約を締結する手段と、前記ペット飼主端末及び前記ペット里親端末の間では、前記通信回線を介してペット飼主とペットと間で画像及び音声データの送受する通信手段とを備える。（請求項１）
【０００９】
また、前記データベースには、ペット飼主のペット訪問に伴う宿泊に利用する宿泊施設に関するデータが蓄積されており、ペット飼主端末からのアクセスにより宿泊の予約ができることを特徴とする。（請求項２）
また、前記データベースには、動物(ペット)病院、ペット火葬施設及びペット共同墓地等の提携施設に関するデータが蓄積されていることを特徴とする。（請求項３）
また、前記ペット里親には、所定の研修を受講し、ペット介護士の資格を有する者が少なくとも１名存在することを特徴とする。（請求項４）
また、前記ホストコンピュータには、前記ペット里親端末を介してペットの介護状況を監視する介護状況監視手段を備えることを特徴とする。（請求項５）
また、前記ホストコンピュータには、ペット飼主からの介護費用の徴収及び里親に対する介護費の支払いを処理する介護費用処理機能を備えていることを特徴とする。（請求項６）
また、前記ペット飼主端末及びペット里親端末は、インターネット対応のカメラ機能付きの携帯端末であることを特徴とする。（請求項７）
【発明の効果】
【００１０】
請求項１〜７に記載の発明では、飼主の海外赴任や老齢化に伴い、介護不能となった愛犬や愛猫等のペットを、ペット好きの人に里親として紹介して、里親となった人にペットの介護を委託するシステムとして、飼主端末、里親端末及びペット介護終身養老システムホストコンピュータ（サーバ）を通信回線を介して有機的に接続して、飼主、里親及びペット介護終身養老システムのそれぞれの要求を実現することができる。
また、本ペット介護終身養老システムは、過疎化で人口が減少しつつある山村や離島等の有力な産業が少ない地域で里親を多く確保することによって、新たな仕事を確保できると共に、ペットの飼主の里親訪問等による需要を喚起できるので、過疎化対策の一環として貢献することができる。
【発明を実施するための最良の形態】
【００１１】
図１を用いて、本発明のペット介護終身養老システムのハードウエア構成を説明する。
図１において、1-1〜1-nは、本発明のペット介護終身養老システムを利用して自己の飼育している愛犬又は愛猫等のペットの介護を依頼するペット飼主の保有する飼主端末である。
この飼主端末としては、自宅に設置したパーソナルコンピュータ又は携帯電話等の携帯通信端末で、画像の送受が可能なものが望ましい。
２は本発明のペット介護終身養老システムの運営元に設置されたホストコンピュータであって、その記憶部には本システムを稼働させるための種々のプログラム及びデータベース2-1が構成されている。
３は3-1〜3-nは、本発明のペット介護終身養老システムでペットの介護する里親の保有する里親端末である。
この里親端末としては、飼主端末と同様に自宅に設置したパーソナルコンピュータ又は携帯電話等の携帯通信端末であるが、その機能としては画像の送受が可能なものが望ましい。
また、４は前記飼主端末、ホストコンピュータ及び里親端末を接続する通信回線であって、一般の公衆回線やインターネット又は専用回線を含み、その伝送形態としては、有線でも無線でも良い。
【００１２】
５は宿泊施設端末であって、本発明のペット介護終身養老システムと契約してペットノ介護を依頼したペット飼主が、自己のペットを介護している里親を訪問してペットと直接交流する際に、宿泊するための提携施設であって、ペットを連れ出して一緒に宿泊が可能な施設が望ましい。
６は本発明のペット介護終身養老システムと契約している提携動物病院端末であって、ペットを介護する里親の居住地域に近接した施設が望ましい。
７は本発明のペット介護終身養老システムと契約しているペットの火葬が可能な提携火葬場端末であり、８は本発明のペット介護終身養老システムと契約しているペットの埋葬が可能な提携共同墓地経営者端末である。
【００１３】
前記ホストコンピュータ２のデータベースには、前記飼主端末、里親端末、宿泊施設端末、提携動物病院端末、提携火葬場端末及び提携共同墓地経営者端末のデータがそれぞれの所在地毎、利用料金毎等に区分されていて、有機的な検索が可能なように蓄積されている。
また、里親毎にの介護可能なペットの種類、頭数、介護環境等が詳細なデータとして蓄積されている。
【００１４】
次に本発明のペット介護終身養老システムの運営に伴う業務及び処理の流れを図２を用いて説明する。
・先ず、本発明の介護終身養老システムを運営するためには、本システムを多くの人々に理解してもらうためにシステムのＰＲを行い、特に本システムの中核となるペットの介護を委託する里親の希望者を募集する。（ステップS1）
なお、ペット里親としては、ペットの介護に興味を有していることは当然であるが、里親になる条件として、ペットを自然な状態で良好に介護するために十分な庭（土地）を確保できることが望ましい。
また、本システムは、過疎化で人口が減少しつつある山村や離島等の有力な産業が少ない地域で里親を多く確保して、将来の過疎化対策の一環として貢献していくという目的も有している。
【００１５】
・次に、ステップS1で募集した里親希望者に対して、ペットの介護に必要な研修を行い、研修の終了者に対して、ペット介護士（仮称）等の本ペット介護終身養老システム委独自の免許を交付する。（ステップS2）
・ステップS2で免許を交付されたペット介護士と本ペット介護終身養老システムとの間で契約を締結して、ホストコンピュータのデータベースに登録する。（ステップS3）
・ステップS3でのペット介護士の免許を取得した里親の数がその所在地の分布も含めて所定数揃った時点で、本ペット介護終身養老システムを正式に立ち上げて種々のＰＲをして飼主からの本システムへの会員登録の申し込みを受け付ける。（ステップS4）
この会員登録に伴って、ホストコンピュータのデータベースに登録すると共に、データベースへのアクセス権を付与する。
上記ステップS1〜S3までの業務は、本ペット介護終身養老システムを立ち上げるまでの準備に必要なものであるが、里親としてのペット介護士が所定数揃った後も、業務の拡大や補充のためにステップS1〜S3は随時継続的に行われる。
【００１６】
・ステップS4でデータベースへのアクセス権を付与されたペット飼主は、飼主端末から通信回線を介してホストコンピュータのデータベースへアクセスして、介護を希望するペットの条件（介護地域・介護料金等）に合った里親候補の提示（紹介）を受ける。（ステップS5）
・ステップS5で里親候補の提示（紹介）を受けたペット介護希望者（飼主）は、自己の介護希望地域や介護料金等の条件を考慮して希望する里親を選択する。（ステップS6）
・条件が一致した場合には、ペット介護希望者（飼主）と里親とは、本介護終身養老システムとの間で正式に契約を締結する。（ステップS7）
この契約は、相互の端末間で電子的に実行しても良いが、別途正式な書類で行うこともできる。
【００１７】
・ステップS7で正式な契約が成立した後に、被介護ペットを飼主から里親に移送して、以後基本的には里親がペットの介護を終身（死ぬまで）実行する。（ステップS8）
・ペットの介護に伴って、飼主は介護料を所定期間毎又は一括して負担する。この介護料はペット介護終身養老システムの運営元が代行して行い、システムにおける手数料を除いた部分を里親に支払う（送金する）。（ステップS9）
【００１８】
・里親によるペットの介護状態は、ペット介護終身養老システムの担当員によって、里親の施設に設置されたカメラ等による映像、電話、書面等で監視されていて、必要な助言や指導が与えられる。（ステップS10）
ペットの体調が変化した場合には、データベースに蓄積されている提携動物病院のデータを用いて、提携動物病院の空き状況や獣医の確保等を容易にできるので適切な治療が受けられるようになっている。
【００１９】
・ペット飼主と里親とは、カメラ付きの携帯電話や８ミリビデオ等の映像機器を利用して相互に連絡をし合って、ペットと飼主との交流を行う。（ステップS11）
・また、ペット飼主は、適宜里親を訪問して、ペットとの現実の交流を行う。（ステップS12）
このペット飼主の訪問に際しては、本ペット介護終身養老システムのデータベースに登録されている提携宿泊施設を有効に利用することができる。
また、この提携宿泊施設が、ペットの同伴が可能な場合には、里親から一時的にペットを借り出すことも可能である。
【００２０】
・里親による介護中にペットが死亡した場合には、本ペット介護終身養老システムが飼主に対する死亡通知の連絡し、ペットの葬儀を受付て飼主に代わって葬儀を代行する。（ステップS13）
・ステップS13で葬儀の代行をする際には、更にペットの火葬場及び共同墓地への埋葬をデータベースに登録されている提携火葬場及び提携共同墓地データを用いて、提携火葬場端末及び提携共同墓地端末との間でデータの授受を行うことで業務を最適に処理することができる。（ステップS14）
【産業上の利用可能性】
【００２１】
請求項１〜７に記載のペット介護終身養老システムは、ホストコンピュータを中心に通信回線を介して、里親端末、提携宿泊施設端末、提携動物病院端末、提携火葬場端末、提携共同墓地端末等を有機的に接続して、前記ホストコンピュータには、特有のデータベースを構築するので、本システムを実現することでハードウエアとしてコンピュータ分野に貢献することが大である。
また、本ペット介護終身養老システムは、過疎化で人口が減少しつつある山村や離島等の有力な産業が少ない地域で里親を多く確保することによって、新たな仕事を確保できると共に、ペットの飼主の里親訪問等による需要を喚起できるので、過疎化対策の一環として貢献する新しい産業としての発展が期待ができる。
【図面の簡単な説明】
【００２２】
【図１】本発明のペット介護終身養老システムのハードウエア構成を示す図である。
【図２】本発明のペット介護終身養老システムの運営に伴う業務及び処理の流れ示すフローチャートである。
【符号の説明】
【００２３】
1-1〜1-n    飼主端末
２          ホストコンピュータ
2-1          データベース
3-1〜3-n    里親端末
４          通信回線
５          提携宿泊施設端末
６          提携動物病院端末
７          提携火葬場端末
８          提携共同墓地端末
【図１】
2005038175.tif 000003
【図２】
2005038175.tif 000004